(57)【要約】【課題】欄干パネルの上部に照明装置を取り付けやすく作業性に優れた乗客コンベアの製造方法を提供する。【解決手段】踏段３の両側に設置された欄干パネル７と、欄干パネル７の周縁に固定され移動手摺５を支持するデッキ８と、デッキ８の下方に設けられた照明装置６０と、照明装置６０を支持する照明支持体４０とを備えた乗客コンベア１の製造方法において、欄干パネル７の周縁に支持部材３０を固定し、支持部材３０の外側面に照明支持体４０を固定し、照明支持体４０を支持部材３０に固定した後、支持部材３０の上面にデッキ８を固定する。【選択図】        図３
2018203507.tif 000002
【特許請求の範囲】
【請求項１】
踏段の両側に設置された欄干パネルと、前記欄干パネルの周縁に固定され移動手摺を支持するデッキと、前記デッキの下方に設けられた照明装置と、前記照明装置を支持する照明支持体とを備えた乗客コンベアの製造方法において、
前記欄干パネルの周縁に支持部材を固定し、
前記支持部材の外側面に前記照明支持体を固定し、
前記照明支持体を前記支持部材に固定した後、前記支持部材の上面に前記デッキを固定する乗客コンベアの製造方法。
【請求項２】
前記支持部材を前記欄干パネルの周縁に間隔をあけて固定する請求項１に記載の乗客コンベアの製造方法。
【請求項３】
前記支持部材の上面に前記欄干パネルの周縁に沿って延び両端が開口する溝状の上側取付溝を設け、
ボルトの頭部が挿通可能な大径穴部と、前記大径穴部より小径で前記ボルトのネジ部が挿通可能な小径穴部とを連結した取付穴を前記デッキに設け、
前記照明支持体を前記支持部材に固定した後、前記支持部材の上面に前記デッキを載置し、
前記ボルトの頭部を上方から前記大径穴部に挿入して前記ボルトのネジ部を上方へ向けた状態で前記上側取付溝に前記ボルトの頭部を保持させ、前記ネジ部にナットを係合して前記デッキを前記支持部材に固定する請求項２に記載の乗客コンベアの製造方法。
【請求項４】
前記照明装置の下方を覆う照明カバーと、前記支持部材に設けられ前記照明カバーの欄干パネル側上端部を支持する照明カバー支持体とを備え、
前記照明カバー支持体が遮光性を有する請求項１〜３のいずれか1項に記載の乗客コンベアの製造方法。
【請求項５】
前記照明支持体は、踏段幅方向の外方へ突出し、前記踏段の移動方向に沿って延びるレールを備え、
前記レールが直線部分と曲線部分に分割されている請求項１〜４のいずれか1項に記載の乗客コンベアの製造方法。
【請求項６】
前記レールの下面に前記照明装置を設け、前記レールの上面に前記照明装置へ駆動電源を供給する電線を設ける請求項５に記載の乗客コンベアの製造方法。
【請求項７】
前記支持部材がアルミニウムの押出材で形成されている請求項１〜６のいずれか１項に記載の乗客コンベアの製造方法。
【請求項８】
下方へ向けて光を照射するように前記照明装置を前記照明支持体に固定する請求項１〜７のいずれか1項に記載の乗客コンベアの製造方法。
【発明の詳細な説明】
【技術分野】
【０００１】
本発明の実施形態は、乗客コンベアの製造方法に関する。
【背景技術】
【０００２】
エスカレータや動く歩道などの乗客コンベアでは、利用者の手元や足下の照度を確保して利用者の安全確保を目的としたり、乗客コンベアの電飾を目的として、欄干パネルの上部外側に踏段の移動方向に沿って照明装置を取り付けることがある（例えば、下記特許文献１参照）。
【０００３】
この照明装置は、移動手摺を支持するデッキの下方に設けられているが、デッキを欄干パネルの周縁に固定した後に照明装置を取り付ける構造となっているため、目視できないところで照明装置の固定や配線を行わなければならず作業しづらいという問題がある。
【先行技術文献】
【特許文献】
【０００４】
【特許文献１】特開２０１４−１１８２２６号公報
【発明の概要】
【発明が解決しようとする課題】
【０００５】
本実施形態は、上記のような問題を考慮してなされたものであり、欄干パネルの上部に照明装置を取り付けやすく作業性に優れた乗客コンベアの製造方法を提供することを目的とする。
【課題を解決するための手段】
【０００６】
実施形態の乗客コンベアの製造方法は、踏段の両側に設置された欄干パネルと、前記欄干パネルの周縁に固定され移動手摺を支持するデッキと、前記デッキの下方に設けられた照明装置と、前記照明装置を支持する照明支持体とを備えた乗客コンベアの製造方法において、前記欄干パネルの周縁に支持部材を固定し、前記支持部材の外側面に前記照明支持体を固定し、前記照明支持体を前記支持部材に固定した後、前記支持部材の上面に前記デッキを固定する。
【図面の簡単な説明】
【０００７】
【図１】本発明の第１実施形態の製造方法によって製造される乗客コンベアの概略を示す全体図。
【図２】図１に示す乗客コンベアの断面図。
【図３】図２の要部を示す図。
【図４】支持部材を取り付けた欄干パネルの要部を示す斜視図。
【図５】レール支持体と照明カバー支持体を取り付けた欄干パネルの要部を示す斜視図。
【図６】レールと電線支持体を取り付けた欄干パネルの要部を示す斜視図。
【図７】照明装置の電線を設けた欄干パネルの要部を示す斜視図。
【図８】デッキを支持部材の上面に載置した欄干パネルの要部を示す斜視図。
【図９】支持部材の上面に載置したデッキの要部を示す平面図である。
【発明を実施するための形態】
【０００８】
以下、本発明の一実施形態について、図面を参照して説明する。
【０００９】
本実施形態では、乗客コンベア１として図１に例示するような建物の上下階に跨って傾斜して設置され踏段３が上下階にわたって移動するエスカレータの製造方法について説明するが、本発明は、ステップが水平方向に移動する動く歩道に対しても適用することができる。
【００１０】
乗客コンベア１は、上階床と下階床の間に亘って建築物へ設置される主枠６と、この主枠６内で長楕円軌道に沿って配置され、無端状に連結された多数の踏段３と、踏段３の両側位置に立設された左右一対の欄干４と、欄干４の周縁部に装着された無端状の移動手摺５とを備える。乗客コンベア１は、不図示の駆動装置によって踏段３および移動手摺５が上階側の乗降口２ａと下階側の乗降口２ｂとの間を循環移動する。
【００１１】
このような乗客コンベア１は、上階側の乗降口２ａに位置する水平部１Ａと、下階側の乗降口２ｂに位置する水平部１Ｂと、所定の傾斜角度で踏段３が直線移動する中間傾斜部１Ｃと、水平部１Ａおよび水平部１Ｂと中間傾斜部１Ｃとをなだらかに繋ぐ曲線部１Ｄ及び１Ｄとから構成されている。
【００１２】
図２及び図３に示すように、欄干４は、踏段３の両側に立設された欄干パネル７と、欄干パネル７の周縁に固定され移動手摺５を支持するデッキ８と、欄干パネル７の下部に設けられたスカート部２６と、欄干パネル７の上部に設けられた照明装置６０とを備える。
【００１３】
移動手摺５は、欄干パネル７の周縁部を踏段３と同期して循環移動するものであり、乗口側でスカート部２６内より外部に現れ、降口側でスカート部２６内に入り込みスカート部２６内部を通って乗口側へ移動する。
【００１４】
欄干パネル７は、例えば、ガラスやステンレスなどのパネルからなり、複数枚のパネルを踏段３の移動方向に沿ってつなぎ合わせることで構成されている。
【００１５】
デッキ８は、欄干パネル７の周縁に沿う方向Ｌへ延びる主デッキ９及び手摺デッキ１０を備える。主デッキ９は、断面形状が略矩形の筒状体からなり、その下面に欄干パネル７の周縁に沿う方向Ｌへ延びる開口部が設けられている（図８参照）。
【００１６】
手摺デッキ１０は、断面形状が上方に開口するコ字状をなしている。手摺デッキ１０は、主デッキ９に比べて幅狭に設けられており、乗客コンベア１の幅方向内側Ｗ１に寄せて手摺デッキ１０の下面１０ａが主デッキ９の上面９ａに固定されている。手摺デッキ１０の上端部には、移動手摺５の内周面を摺動可能に支持する案内レール１１が設けられている。
【００１７】
このようなデッキ８は、図３及び図８に示すように、主デッキ９の上面９ａ及び手摺デッキ１０の下面１０ａに上下に貫通する取付穴１２が設けられており、取付穴１２に挿入されたボルト１６にナット１５を係合させて支持部材３０に固定される。なお、ナット１５には、下方からボルト１６が係止するとともに、上方から案内レール１１を固定するボルト２０が係止している。
【００１８】
取付穴１２は、図８及び図９に示すように、大径穴部１２ａとこれより小径の小径穴部１２ｂとを連結してなる所謂だるま穴である。大径穴部１２ａは、ボルト１６の頭部１６ａが挿通可能な口径に設けられている。小径穴部１２ｂは、ボルト１６の頭部１６ａより小さく、ボルト１６のネジ部１６ｂが挿通可能な口径を有し、欄干パネル７の周縁に沿う方向Ｌへ延びる長穴状に設けられている。
【００１９】
支持部材３０は、例えば、アルミニウムなど金属の押出成型体からなる。図３及び図４に示すように、支持部材３０の上側、幅方向外側Ｗ２及び下側には、両端が支持部材３０の側面に開口するように欄干パネル７の周縁に沿う方向Ｌへ延びる上側取付溝３１、外側取付溝３２、及びパネル取付溝３３が設けられている。
【００２０】
上側取付溝３１は、断面形状がＴ字状をなしており、デッキ８を固定するためのボルト１６の頭部１６ａが支持部材３０の側面の開口より挿入され、ボルト１６のネジ部１６ｂを上方に向けた状態でボルト１６を保持する。
【００２１】
外側取付溝３２は、断面形状がＴ字状をなしており、照明装置６０を支持する照明支持体４０を固定するためのボルト１７の頭部１７ａが支持部材３０の側面の開口より挿入され、ボルト１７のネジ部１７ｂを幅方向外方Ｗ２に向けた状態でボルト１７を保持する。
【００２２】
パネル取付溝３３は、欄干パネル７の周縁が差し込まれ、支持部材３０を欄干パネル７の周縁に固定する。
【００２３】
また、支持部材３０は、両端が支持部材３０の側面に開口するように欄干パネル７の周縁に沿う方向Ｌへ延びるカバー取付溝３４が外側取付溝３２の下方に設けられている。カバー取付溝３４は、断面形状が幅方向外方Ｗ２に開口するコ字状の照明カバー支持体１３が差し込まれ、支持部材３０と欄干パネル７との間で照明カバー支持体１３を挟持する。照明カバー支持体１３は、支持部材３０と欄干パネル７との間に挟持された状態で、支持部材３０の下面との間に照明カバー６１の上端部を保持する空間を形成する。
【００２４】
なお、照明カバー支持体１３は、遮光性を有していることが好ましい。照明カバー支持体１３が遮光性を有している場合、欄干パネル７を通して主デッキ９内部に収納された照明装置６０や照明支持体４０等が、踏段３に搭乗した利用者から見えないようになる。
【００２５】
照明装置６０は、図１〜図３に示すように、主デッキ９の下側であって欄干パネル７に固定された支持部材３０より幅方向外方Ｗ２に照明支持体４０を介して支持部材３０に固定されている。照明装置６０は、踏段３の移動方向に沿って上階側の水平部１Ａから下階側の水平部１Ｂまで配設され、乗客コンベア１の長手方向のほぼ全域を照明する。
【００２６】
照明装置６０は、例えばテープ式ＬＥＤからなり、不図示の駆動装置から電線６２を介して駆動電源が供給されると、下方へ向けて光を放出して主デッキ９の下面に設けられた開口部を通して欄干４の下部や踏段３を照明する。なお、本実施形態では、照明装置６０がテープ式ＬＥＤの場合について説明するが、照明装置６０が棒状ＬＥＤや蛍光灯等であってもよい。
【００２７】
照明装置６０の下方は、主デッキ９の下面に設けられた開口部を塞ぐように設けられた照明カバー６１によって覆われている。
【００２８】
照明支持体４０は、照明装置６０を保持する保持レール４１と、保持レール４１と欄干パネル７の周縁に設けられた支持部材３０とを連結するレール支持体４２と、電線６２を保持する電線保持体４３とを備える。
【００２９】
保持レール４１は、踏段３の移動方向に対して略平行に配置された板状体であり、支持部材３０から幅方向外方Ｗ２へ突出するようにレール支持体４２によって支持部材３０の外側に固定されている。
【００３０】
保持レール４１の下面には照明装置６０を保持する係止爪等の保持部４４が設けられており、照明装置６０が保持レール４１の下面に固定されている。また、保持レール４１の上面には電線保持体４３が固定され、照明装置６０に駆動電源を供給する電線６２が配設されている。保持レール４１の上面に配設された電線６２は、結束バンド４５によって電線保持体４３に巻き付け固定されている。
【００３１】
保持レール４１は、上階側の水平部１Ａ、下階側の水平部１Ｂ、及び中間傾斜部１Ｃに位置する直線レールと、曲線部１Ｄ及び１Ｄに位置する曲線レールに分割されており、これらの直線レール及び曲線レールを踏段３の移動方向に沿ってつなぎ合わせることで、踏段３の移動方向に沿って上階側の水平部１Ａから下階側の水平部１Ｂまで延びる一続きの保持レール４１を構成している。
【００３２】
レール支持体４２は、断面Ｌ字状をなしており、一方の片４２ａが支持部材３０の外側取付溝３２に保持されたボルト１７によって支持部材３０に固定され、他方の片４２ｂがネジ１８によって保持レール４１に固定される。電線保持体４３は、ネジ１８によって保持レール４１とともにレール支持体４２に共締めされ保持レール４１の上面に固定されている。
【００３３】
なお、保持レール４１には、ネジ１８を挿通する穴４６が長手方向に間隔をあけて多数設けられていてもよい（図６参照）。このように穴４６を多数設けることで、保持レール４１とレール支持体４２に設けられた穴同士の位置を合わせやすくなり、保持レール４１をレール支持体４２に固定しやすくなる。
【００３４】
次に、乗客コンベア１の製造方法について、図４〜図９に基づいて説明する。
【００３５】
まず、建築物へ設置された主枠６に欄干パネル７を取り付け（図１及び図２参照）、欄干パネル７の周縁に間隔をあけて支持部材３０を固定する（図４参照）。なお、欄干パネル７への支持部材３０の固定は、主枠６に欄干パネル７を取り付ける前でも、主枠６に欄干パネル７を取り付けた後でもいずれでもよい。
【００３６】
欄干パネル７に支持部材３０を固定した後、支持部材３０に照明支持体４０を固定する。具体的には、図５に示すように、支持部材３０の外側取付溝３２が保持するボルト１７をレール支持体４２の一方の片４２ａに挿通しナット１９と係合させてレール支持体４２を支持部材３０に固定する。また、照明カバー支持体１３を欄干パネル７に沿わせてスライドさせカバー取付溝３４に挿入することで照明カバー支持体１３を支持部材３０に取り付ける。
【００３７】
レール支持体４２を支持部材３０に固定した後、図６に示すように、レール支持体４２の他方の片４２ｂに保持レール４１及び電線保持体４３をネジ１８によって固定する。そして、保持レール４１に設けられた保持部４４に照明装置６０を保持させて保持レール４１の下面に照明装置６０を設ける。
【００３８】
なお、本実施形態では、レール支持体４２を支持部材３０に取り付け、次いで、レール支持体４２に保持レール４１及び電線保持体４３を取り付け、その後、照明装置６０を保持レール４１に取り付ける場合について説明したが、レール支持体４２、保持レール４１及び電線保持体４３を互いに固定して照明支持体４０を予め組み立ててから支持部材３０に取り付け、その後、照明装置６０を保持レール４１に取り付けてもよく、また、予め組み立てた照明支持体４０に照明装置６０を保持させてから支持部材３０を取り付けてもよい。
【００３９】
照明支持体４０を支持部材３０に固定した後、図７に示すように、照明装置６０に電線６２を接続するとともに、保持レール４１の上面に電線６２を配設し結束バンド４５によって電線保持体４３に巻き付け固定する。
【００４０】
電線６２の配線後、図８に示すように、支持部材３０及び照明支持体４０の上方を主デッキ９が覆うように支持部材３０の上面にデッキ８を載置する。その際、図９に示すように、デッキ８に設けられた取付穴１２の小径穴部１２ｂが支持部材３０の上側取付溝３１と上下に重なるが、取付穴１２の大径穴部１２ａが上側取付溝３１より欄干パネル７の周縁に沿う方向Ｌへズレるように、デッキ８を支持部材３０の上面に載置する。
【００４１】
デッキ８を支持部材３０の上面に載置した後、ボルト１６の頭部１６ａをデッキ８に設けられた取付穴１２の大径穴部１２ａに上方より挿通し、その後、欄干パネル７の周縁に沿う方向Ｌへボルト１６をスライド移動させて、ボルト１６の頭部１６ａを上側取付溝３１に挿入するとともに、ボルト１６のネジ部１６ｂを小径穴部１２ｂに挿入する。これにより、ボルト１６の頭部１６ａが支持部材３０の上側取付溝３１に保持されつつ、ボルト１６のネジ部１６ｂが手摺デッキ１０の下面１０ａから上方に突出する。そして、手摺デッキ１０の下面１０ａから突出するボルト１６のネジ部１６ｂにナット１５を係合させてデッキ８を支持部材３０に固定する（図８参照）。
【００４２】
支持部材３０にデッキ８を固定した後、図３に示すように、照明カバー支持体１３に照明カバー６１の上端部を保持させて照明装置６０の下方を照明カバー６１で覆う。また、手摺デッキ１０の上に案内レール１１を載置し、ボルト２０をナット１５に係止させて案内レール１１を手摺デッキ１０に固定し（図８参照）、更に、手摺デッキ１０に移動手摺５を取り付ける。以上により乗客コンベア１の欄干４の組立を終了する。
【００４３】
本実施形態の乗客コンベアの製造方法では、欄干パネル７の周縁に固定した支持部材３０に照明装置６０を支持する照明支持体４０を固定した後、案内レール１１及び移動手摺５を支持するデッキ８を支持部材３０の上面に固定するため、目視しながら照明装置６０を欄干パネル７へ取り付けたり、電線６２を配線することができ、欄干４に照明装置６０を容易に取り付けることができる。
【００４４】
本実施形態では、支持部材３０が欄干パネル７の周縁に間隔をあけて設けられているため、支持部材３０を湾曲形状に設けることなく乗客コンベア１の曲線部１Ｄに支持部材３０を取り付けることができる。
【００４５】
本実施形態では、大径穴部１２ａと小径穴部１２ｂとを連結した取付穴１２がデッキ８に設けられているため、支持部材３０の上面にデッキ８を載置した後にボルト１６を取付穴１２に挿通して支持部材３０に保持させることができ、デッキ８を支持部材３０に容易に取り付けることができる。
【００４６】
本実施形態では、保持レール４１が、上階側の水平部１Ａ、下階側の水平部１Ｂ、及び中間傾斜部１Ｃに位置する直線レールと、曲線部１Ｄ及び１Ｄに位置する曲線レールに分割されているため、保持レール４１を構成する部品の種類を減らすことができる。
【００４７】
本実施形態では、保持レール４１の上面に電線６２を設けるため、電線６２を目視しながら容易に配線作業を行うことができる。
【００４８】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４９】
１…乗客コンベア、３…踏段、４…欄干、５…移動手摺、６…主枠、７…欄干パネル、８…デッキ、９…主デッキ、１０…手摺デッキ、１１…案内レール、１２…取付穴、１２ａ…大径穴部、１２ｂ…小径穴部、１３…照明カバー支持体、１５…ナット、１６…ボルト、１６ａ…頭部、１６ｂ…ネジ部、１７…ボルト、１８…ネジ、１９…ナット、２０…ボルト、３０…支持部材、３１…上側取付溝、３２…外側取付溝、３３…パネル取付溝、３４…カバー取付溝、４０…照明支持体、４１…保持レール、４２…レール支持体、４３…電線保持体、４４…保持部、６０…照明装置、６１…照明カバー、６２…電線
【図１】
2018203507.tif 000003
【図２】
2018203507.tif 000004
【図３】
2018203507.tif 000005
【図４】
2018203507.tif 000006
【図５】
2018203507.tif 000007
【図６】
2018203507.tif 000008
【図７】
2018203507.tif 000009
【図８】
2018203507.tif 000010
【図９】
2018203507.tif 000011
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
踏段の両側に設置された欄干パネルと、前記欄干パネルの周縁に固定され移動手摺を支持するデッキと、前記デッキの下方に設けられた照明装置と、前記照明装置を支持する照明支持体とを備えた乗客コンベアの製造方法において、
前記欄干パネルの周縁に間隔をあけて支持部材を固定し、
前記支持部材の外側面に前記照明支持体を固定し、
前記照明支持体を前記支持部材に固定した後、前記支持部材の上面に前記デッキを固定し、
前記支持部材の上面に前記欄干パネルの周縁に沿って延び両端が開口する溝状の上側取付溝を設け、
ボルトの頭部が挿通可能な大径穴部と、前記大径穴部より小径で前記ボルトのネジ部が挿通可能な小径穴部とを連結した取付穴を前記デッキに設け、
前記照明支持体を前記支持部材に固定した後、前記支持部材の上面に前記デッキを載置し、
前記ボルトの頭部を上方から前記大径穴部に挿入して前記ボルトのネジ部を上方へ向けた状態で前記上側取付溝に前記ボルトの頭部を保持させ、前記ネジ部にナットを係合して前記デッキを前記支持部材に固定する乗客コンベアの製造方法。
【請求項２】
前記照明装置の下方を覆う照明カバーと、前記支持部材に設けられ前記照明カバーの欄干パネル側上端部を支持する照明カバー支持体とを備え、
前記照明カバー支持体が遮光性を有する請求項１に記載の乗客コン
ベアの製造方法。
【請求項３】
前記照明支持体は、踏段幅方向の外方へ突出し、前記踏段の移動方向に沿って延びるレールを備え、
前記レールが直線部分と曲線部分に分割されている請求項１又は２に記載
の乗客コンベアの製造方法。
【請求項４】
前記レールの下面に前記照明装置を設け、前記レールの上面に前記照明装置へ駆動電源を供給する電線を設ける請求項３に記載の乗客コンベアの製造方法。
【請求項５】
前記支持部材がアルミニウムの押出材で形成されている請求項１〜４のいずれか１項に記載の乗客コンベアの製造方法。
【請求項６】
下方へ向けて光を照射するように前記照明装置を前記照明支持体に固定する請求項１〜５のいずれか1項に記載の乗客コンベアの製造方法。
【手続補正２】
【補正対象書類名】明細書
【補正対象項目名】０００６
【補正方法】変更
【補正の内容】
【０００６】
実施形態の乗客コンベアの製造方法は、踏段の両側に設置された欄干パネルと、前記欄干パネルの周縁に固定され移動手摺を支持するデッキと、前記デッキの下方に設けられた照明装置と、前記照明装置を支持する照明支持体とを備えた乗客コンベアの製造方法において、前記欄干パネルの周縁に間隔をあけて支持部材を固定し、前記支持部材の外側面に前記照明支持体を固定し、前記照明支持体を前記支持部材に固定した後、前記支持部材の上面に前記デッキを固定し、前記支持部材の上面に前記欄干パネルの周縁に沿って延び両端が開口する溝状の上側取付溝を設け、ボルトの頭部が挿通可能な大径穴部と、前記大径穴部より小径で前記ボルトのネジ部が挿通可能な小径穴部とを連結した取付穴を前記デッキに設け、前記照明支持体を前記支持部材に固定した後、前記支持部材の上面に前記デッキを載置し、前記ボルトの頭部を上方から前記大径穴部に挿入して前記ボルトのネジ部を上方へ向けた状態で前記上側取付溝に前記ボルトの頭部を保持させ、前記ネジ部にナットを係合して前記デッキを前記支持部材に固定する。